(57)【要約】【課題】セグメント間の嵌合構造を廃止し、隣り合うセグメント同士の接触を防止でき、組み込み作業性の向上を図ることができる転がり軸受用保持器およびこのような保持器を用いた転がり軸受を提供する。【解決手段】少なくとも２個の円弧状セグメントにて環状に形成されてなる転がり軸受用保持器である。各円弧状セグメントは周方向に沿って所定ピッチで配設されるポケットを有する。周方向に沿って隣り合うセグメントにおける各対向面は、それぞれ平坦面形状とされている。相対面するセグメントの対向面間に隙間が形成された状態で環状に形成されている。【選択図】図１
2020045944.tif 000002
【特許請求の範囲】
【請求項１】
少なくとも２個の円弧状セグメントにて環状に形成されてなり、各円弧状セグメントには、周方向に沿って所定ピッチで配設されるポケットを有する転がり軸受用保持器であって、
周方向に沿って隣り合うセグメントにおける各対向面は、それぞれ平坦面形状とされて、相対面するセグメントの対向面間に隙間が形成された状態で環状に形成されていること特徴とする転がり軸受用保持器。
【請求項２】
対向面間には、相対面するセグメントと協働してポケットが形成されることを特徴とする請求項１に記載の転がり軸受用保持器。
【請求項３】
各ポケットが軸方向の一方に開口し、前記開口の両側に一対の爪部を配置した樹脂製の冠形保持器であることを特徴とする請求項１又は請求項２に記載の転がり軸受用保持器。
【請求項４】
請求項１〜請求項３のいずれか１項に記載の転がり軸受用保持器を用いたことを特徴とする転がり軸受。
【請求項５】
ＣＴスキャナ装置に用いられることを特徴とする請求項４に記載の転がり軸受。
【発明の詳細な説明】
【技術分野】
【０００１】
本発明は、転がり軸受用保持器および転がり軸受に関する。
【背景技術】
【０００２】
一般的な転がり軸受を図９に示す。この場合の転がり軸受は玉軸受であり、この玉軸受は、外径面に内側転走面１ａが形成された内輪１と、内径面に外側転走面２ａが形成された外輪２と、内輪１の内側転走面１ａと外輪２の外側転走面２ａとの間に転動自在に介在される転動体として複数の玉（ボール）３と、内輪１と外輪２との間に配され、各玉３を円周方向等間隔に保持する樹脂製の冠形状の保持器４とで主要部が構成される。
【０００３】
内輪１と外輪２との間に配された冠形状の保持器４は、図１０に示すように、円環状をなす主部５ａと、その主部５ａの軸方向片面に互いに間隔をあけて円周方向等配で一体的に突設された一対ずつの弾性片５ｂ、５ｂとで構成され、これら一対ずつの弾性片５ｂ、５ｂの間に凹設されて外径側と内径側とに開口したポケット５ｃを備え、そのポケット５ｃで玉３を転動自在に保持する。
【０００４】
ところで、ＣＴスキャナ装置には、Ｘ線を照射するＸ線管装置や照射されたＸ線を受ける検出器を装着した回転体（回転架台）を、固定体（固定架台）に対して回転自在に支持するために転がり軸受が組み込まれており、組み込まれる転がり軸受としては、通常、直径に対して肉厚が著しく小さい軸受、いわゆる超薄肉型転がり軸受が選択される。この種のＣＴスキャナ装置は、画像形成時に固定架台の内周に入る被写体に不安感を抱かせないようにするため、運転に伴う振動や異音の発生を極力抑制する必要がある。そのため、この種のＣＴスキャナ装置に組み込まれる転がり軸受は、運転に伴う振動や異音の発生を極力抑制することが求められる。
【０００５】
このような超薄肉型転がり軸受用の保持器としては、製造上および組立上の理由から、
特許文献１から特許文献３に記載のように複数個のセグメントを組み合わせた保持器が使用される場合が多い。
【０００６】
複数のポケットを有するセグメント７は、図１１に示すように、所定ピッチで凹部８が形成された円弧形状の本体部９と、本体部９の各凹部８の開口端から突設される一対の爪部１０、１０とを有し、凹部８と対向する一対の爪部１０，１０とでポケット１１を形成する。
【０００７】
また、セグメント７の一方の端部に嵌合凸部１２が設けられるとともに、他方の端部に嵌合凹部１３が設けられたものである。この場合、例えば、嵌合凸部１２は、首部１２ａと、この首部１２ａから連設される円形状の頭部１２ｂとからなり、嵌合凹部１３も、嵌合凸部１２に対応して、首部１３ａと、この首部１３ａから連設される円形状の頭部１３ｂとからなる。
【０００８】
このため、図１２に示すように、一のセグメント７の嵌合凸部１２を、他のセグメント７の嵌合凹部１３に嵌合させることによって、周方向に隣り合うセグメントが接続（連結）される。この場合、嵌合凸部１２と嵌合凹部１３とは半径方向から押し込むことになる。
【先行技術文献】
【特許文献】
【０００９】
【特許文献１】特開２０１０−７１３８６号公報
【特許文献２】特開２００７−６４４０６号公報
【特許文献３】特開２００４−２１８７４５号公報
【発明の概要】
【発明が解決しようとする課題】
【００１０】
嵌合凸部１２を嵌合凹部１３に嵌合させるものでは、その嵌合部１５(図１２参照)に適切な締め代を付与し、これによって、周方向に隣り合うセグメント７，７を結合することによって円環形状の保持器４を構成することになる。
【００１１】
ところで、このような保持器４を形成するセグメント７，７は、一般的に樹脂を素材とした射出成形品である。このため、成形誤差などによって嵌合部１５の締め代が増大したり、あるいはその締め代が減少して嵌合部１５でがたつきが発生する場合がある。
【００１２】
セグメント７，７の嵌合部１５の締め代が増大すると、嵌合凸部１２を相手側の嵌合凹部１３に半径方向から押し込む際に両方に干渉しやすくなるため、スムーズに嵌め合わせることが難しく、作業性が大幅に低下する。逆に、セグメント７，７の嵌合部１５の締め代が減少してがたつきが発生する（図１３参照）と、隣接するセグメント７，７間で内径方向または外径方向のずれが生じる。このため、ずれたセグメント７，７が軸受の内輪軌道面１ａあるいは外輪軌道面２ａと接触して打音や振動音などの異音を発生させ、また、軸受トルクの上昇を引き起こすことになる。
【００１３】
特に、ＣＴスキャナ装置に用いた場合、この種の異音が被写体にストレスを与えかねないため、異音の発生レベルの低減が強く望まれている。また、保持器４の転動体がボール３の場合、ポケット５ｃの収縮変形よりボール３との隙間が減少することによってポール３がポケット５ｃ内で拘束されやすくなって、その結果、軸受トルクが増加することになる。
【００１４】
そこで、本発明は、上記課題に鑑みて、セグメント間の嵌合構造（嵌合部）を廃止し、隣り合うセグメント同士の接触を防止でき、組み込み作業性の向上を図ることができる転がり軸受用保持器およびこのような保持器を用いた転がり軸受を提供するものである。
【課題を解決するための手段】
【００１５】
本発明の転がり軸受用保持器は、少なくとも２個の円弧状セグメントにて環状に形成されてなり、各円弧状セグメントには、周方向に沿って所定ピッチで配設されるポケットを有する転がり軸受用保持器であって、周方向に沿って隣り合うセグメントにおける各対向面は、それぞれ平坦面形状とされて、相対面するセグメントの対向面間に隙間が形成された状態で環状に形成されているものである。
【００１６】
本発明の転がり軸受用保持器によれば、周方向に隣り合うセグメント間に連結用の嵌合部が形成されず、周方向に隣り合うセグメントが嵌合部を介して連結されるものではない。
【００１７】
対向面間には、相対面するセグメントと協働してポケットが形成されるものであってもよく、各ポケットが軸方向の一方に開口し、前記開口の両側に一対の爪部を配置した樹脂製の冠形保持器とすることができる。
【００１８】
本発明の転がり軸受は、前記軸受用保持器を用いたものである。このような軸受用保持器を用いた場合、周方向に隣り合うセグメントを連結する必要がないので、保持部を環状（リング状）に組み立てることなく、軸受に組み込むことができる。
【００１９】
前記転がり軸受をＣＴスキャナ装置に用いることができる。
【発明の効果】
【００２０】
本発明では、各セグメントに連結用の嵌合部がないため、各セグメントの形状が簡易的となり、成形コストの低減、選択材料の自由度が上がり、設計しやすくなる。また、環状（リング状）に組み立てることなく、軸受に組み込むことができ、組立性の向上を図ることができる。連結用の嵌合部を有さないので、嵌合部を設ける場合のスペースを用いて、転動体（ボール）の数を増加させることができる。すなわち、嵌合部を有するセグメントを用いた軸受と同一の寸法軸受を構成した場合、転動体（ボール）の数を増加させることができる。また、セグメント同士の接触を回避することができ、セグメントの変形や、セグメント同士の振動異音の発生及びセグメントと内輪及び外輪の軌道面接触による軸受のトルク上昇を軽減することができる。
【図面の簡単な説明】
【００２１】
【図１】本発明に係る転がり軸受の要部簡略断面図である。
【図２】本発明に係る転がり軸受用保持器の簡略図である。
【図３】本発明に係る転がり軸受用保持器を構成するセグメントの展開状態の要部拡大断面平面図である。
【図４】本発明に係る転がり軸受用保持器に転動体としてのボールが嵌合されている展開状態の要部拡大断面平面図である。
【図５】本発明に係る転がり軸受用保持器に転動体としてのボールが嵌合されている断面側面図である。
【図６】セグメントの要部簡略斜視図である。
【図７】図４のＸ−Ｘ線断面図である。
【図８】本発明に係る転がり軸受を用いたＣＴスキャナ装置の簡略図である。
【図９】従来の転がり軸受の要部簡略断面図である。
【図１０】図９に示す転がり軸受の保持器の要部斜視図である。
【図１１】従来の保持器のセグメントの展開状態の平面図である。
【図１２】従来の保持器のセグメントの連結状態を示す展開状態の要部平面図である。
【図１３】嵌合部に隙間が形成された状態の簡略図である。
【発明を実施するための形態】
【００２２】
以下本発明の実施の形態を図１〜図８に基づいて説明する。図１は、本発明に係る転がり軸受を示し、転がり軸受は、外径面に内側転走面２１ａが形成された内輪２１と、内径面に外側転走面２２ａが形成された外輪２２と、内輪２１の内側転走面２１ａと外輪２の外側転走面２２ａとの間に転動自在に介在される転動体としての複数の玉（ボール）２３と、内輪２１と外輪２２との間に配され、各玉２３を円周方向等間隔に保持する樹脂製の冠形状の保持器２４とで主要部が構成される。
【００２３】
また、この場合の保持器２４は、図２に示すように、複数個（図例では、２個）の円弧形状のセグメント２５で構成される。セグメント２５は、図３〜図７に示すように、周方向に沿って所定ピッチで配設される複数個のポケット２６を有するものである。すなわち、セグメント２５は、所定ピッチで凹部２６ａが形成された円弧形状の本体部２７と、本体部２７の各凹部２６ａの開口端から突設される一対の爪部２６ｂ、２６ｂとを有し、凹部２６ａと対向する一対の爪部２６ｂ，２６ｂとでポケット２６を形成する。
【００２４】
また、各セグメント２５の端面（対向面）２５ａは平坦面形状をなし、半割凹部２６ａ１が形成さ、半割凹部２６ａ１の開口端に爪部２６ｂ１が形成されている。このため、各セグメント２５を、図２に示すように環状に配置した際には、図３と図４に示すように、周方向に隣り合うセグメント２５、２５との間、すなわち対向面２５ａ，２５ａ間に所定寸の隙間Ｃが形成される。そして、一方のセグメント２５の対向面２５ａと他方のセグメント２５の対向面２５ａとを相対面させることによって、一対の半割凹部２６ａ１,２６a
１と一対の爪部２６ｂ１、２６ｂ１とで、1個のポケット２６を形成する。各ポケット２６には、図４に示すようにボール（玉）２３が嵌合される。
【００２５】
保持器２４のセグメント２５は、鋼または銅合金の金属製であっても、樹脂製であってもよい。樹脂製では、ポリアセタール、ポリアミド(ナイロン６．６、ナイロン４．６)、ふっ素樹脂などがあり、それらをガラス繊維や炭素繊維で強化して用いることができる。
【００２６】
ところで、前記のように構成された転がり軸受は、いわゆる超薄肉型転がり軸受を構成することができるので、例えば、図８に示すようなＣＴスキャナ装置に用いることができる。
【００２７】
ＣＴスキャナ装置は、Ｘ線管装置３１で発生させたＸ線が、その強度分布を一様にするためのウェッジフィルタ３２、および強度分布を制限するスリット３３を介して被写体３４に照射される。被写体３４を通過したＸ線は検出器３５で受けられ、電気信号に変換されて図示しないコンピュータに送られる。Ｘ線管装置３１、ウェッジフィルタ３２、スリット３３、および検出器３５などの各部品は、本発明に係る転がり軸受５０を介して固定架台３７に回転自在に支持された略円筒状の回転架台３８に取り付けられ、回転架台３８の回転に伴って被写体３４の周囲を回転する。そして、互いに対向するＸ線管装置３１と検出器３５とが被写体３４まわりを回転することにより、被写体３４の検査断面内のあるゆる点で全ての角度をカバーする投影データを得、これらのデータから、予めプログラムされた再構成プログラムにより断層画像を得る。
【００２８】
本発明の転がり軸受用保持器によれば、周方向に隣り合うセグメント２５，２５間に連結用の嵌合部が形成されず、周方向に隣り合うセグメント２５，２５が嵌合部を介して連結されるものではない。本発明では、各セグメント２５，２５に連結用の嵌合部がないため、各セグメント２５，２５の形状が簡易的となり、成形コストの低減、選択材料の自由度が上がり、設計しやすくなる。また、環状（リング状）に組み立てることなく、軸受に組み込むことができ、組立性の向上を図ることができる。連結用の嵌合部を有さないので、嵌合部を設ける場合のスペースを用いて、転動体（ボール）２３の数を増加させることができる。すなわち、嵌合部を有するセグメント７を用いた軸受と同一の寸法軸受を構成した場合、転動体（ボール）２３の数を増加させることができる。また、セグメント２５同士の接触を回避することができ、セグメント２５の変形や、セグメント２５同士の振動異音の発生及びセグメントと内輪２１及び外輪２２の軌道面２１ａ，２２ａ接触による軸受のトルク上昇を軽減することができる。
【００２９】
以上、本発明の実施形態につき説明したが、本発明は前記実施形態に限定されることなく種々の変形が可能であって、保持器２４のセグメント２５の数は少なくとも２個有するものであればよい。また、各セグメント２５におけるポケット数も任意に変更できる。周方向に隣り合うセグメント２５、２５の端面２５ａ１、２５ａ１間の隙間Ｃの寸法として、図４に示すように、端面２５ａ１、２５ａ１間に、ボール２３が収納されポケット２６が形成される範囲で任意に設定できる。転動体としてボール２３を例示しているが、ころを使用することも可能である。また、転動体の列数を一列とした単列軸受に限らず、二列の転動体を配した複列軸受にも適用可能である。
【００３０】
ところで、本発明に係る転がり軸受は、いわゆる超薄肉型転がり軸受を構成することができるので、例えば、図８に示すようなＣＴスキャナ装置に用いることができるが、用途としてＣＴスキャナ装置に限るものではなく、その他の種々の産業機械や工作機構等に使用することができる。
【符号の説明】
【００３１】
２３   転動体（玉、ボール）
２４   保持器
２５   セグメント
２５ａ 対向面
２６   ポケット
２６ｂ 爪部
５０   軸受
Ｃ     隙間
【図１】
2020045944.tif 000003
【図２】
2020045944.tif 000004
【図３】
2020045944.tif 000005
【図４】
2020045944.tif 000006
【図５】
2020045944.tif 000007
【図６】
2020045944.tif 000008
【図７】
2020045944.tif 000009
【図８】
2020045944.tif 000010
【図９】
2020045944.tif 000011
【図１０】
2020045944.tif 000012
【図１１】
2020045944.tif 000013
【図１２】
2020045944.tif 000014
【図１３】
2020045944.tif 000015